(57)【特許請求の範囲】
【請求項１】
表示動作をする表示手段を固定し基板に取り付ける固定手段と、前記基板に実装され発振回路を構成する水晶振動子と、前記発振回路の発振周波数を読み取り計時する計時手段と、前記計時手段の電源となる電池を備え、前記固定手段は樹脂材料で構成され、前記基板に向かって２つの突起部を突出させ、前記２つの突起部と前記基板で前記水晶発振子を支持するよう構成し、前記電池の上部に前記電池の端子部の長さより低い位置に延設部を配置した電子部品ユニット。
【請求項２】
基板に実装するスイッチを備え、固定手段は、前記スイッチを押す稼動部を有する請求項１記載の電子部品ユニット。
【請求項３】
炊飯器本体内に着脱自在に収納される鍋と、前記鍋を加熱する加熱手段と、前記炊飯器本体の上面開口部を開閉自在に覆う蓋と、上記請求項１または２に記載の電子部品ユニットとを備え、前記炊飯器本体または蓋に前記電子部品ユニットを取り付けた炊飯器。
【発明の詳細な説明】
【技術分野】
【０００１】
本発明は、缶ケース型の水晶振動子を有する電子部品ユニットおよびその電子部品ユニットを備えた炊飯器に関するものである。
【背景技術】
【０００２】
従来、この種の電子部品ユニットは、時間を正確に測定するために、缶ケース型の水晶振動子を用いることが多い。この缶ケース型の水晶振動子の振動を抑えるために、熱硬化型の接着剤を用いて、フラットパッケージ型の電子部品と水晶振動子を固定するものがあ
った（例えば、特許文献１参照）。また、接着剤をつけるという作業を不要にするために、半田クリームを予め基板上に塗り、その半田クリームを半田付け工程で溶かして、缶ケースを半田付けする方法もあった（例えば、特許文献２参照）。
【特許文献１】特開平１０−２７０８２４号公報
【特許文献２】特開２０００−２２３８２９号公報
【発明の開示】
【発明が解決しようとする課題】
【０００３】
しかしながら、このような従来の構成では、水晶振動子を構成する缶ケースを直接接着する方法であり、接着剤や半田クリーム不足で十分に固定できず、水晶振動子が振動しリード線が断線するという問題があった。
【０００４】
本発明は上記従来の課題を解決するもので、接着剤や半田クリームを使わずに、缶ケース型の水晶振動子を固定し、水晶振動子の振動を防止し、信頼性の高い電子部品ユニットを提供することを第１の目的としている。
【０００５】
また、様々な操作形状に対応することができ、デザイン性の高い炊飯器を提供することを第２の目的としている。
【課題を解決するための手段】
【０００６】
本発明の電子部品ユニットは、上記第１の目的を達成するために、表示動作をする表示手段を固定した固定手段を基板に取り付け、発振回路を構成する水晶振動子を基板に実装し、計時手段により発振回路の発振周波数を読み取り計時するよう構成し、計時手段の電源となる電池を備え、固定手段は樹脂材料で構成され、基板に向かって２つの突起部を突出させ、２つの突起部と基板で水晶発振子を支持するよう構成し、電池の上部に前記電池の端子部の長さより低い位置に延設部を配置したものである。
【０００７】
これにより、水晶振動子を３点で押さえることになり、縦方向の振動と横方向の振動を抑えることができるので、振動による水晶振動子のリード線の断線を防止することができる。
【０００８】
また、本発明の炊飯器は、上記第２の目的を達成するために、炊飯器本体内に鍋を着脱自在に収納し、この鍋を加熱手段により加熱し、炊飯器本体の上面開口部を蓋により開閉自在に覆い、上記の電子部品ユニットは、炊飯器本体または蓋に取り付けたものである。
【０００９】
これにより、電子部品ユニットによって表示操作部を構成することで、様々な操作形状に対応することができ、デザイン性の高い炊飯器を提供することができる。
【発明の効果】
【００１０】
本発明の電子部品ユニットは、水晶振動子のリード線の断線を防止できるので故障の少ない電子部品ユニットを提供でき、また、この電子部品ユニットを備えた炊飯器は、様々な操作形状に対応することができ、デザイン性の高い炊飯器を提供することができる。
【発明を実施するための最良の形態】
【００１１】
第１の発明は、表示動作をする表示手段を固定し基板に取り付ける固定手段と、前記基板に実装され発振回路を構成する水晶振動子と、前記発振回路の発振周波数を読み取り計時する計時手段と、前記計時手段の電源となる電池を備え、前記固定手段は樹脂材料で構成され、前記基板に向かって２つの突起部を突出させ、前記２つの突起部と前記基板で前記水晶発振子を支持するよう構成し、前記電池の上部に前記電池の端子部の長さより低い位置に延設部を配置した電子部品ユニットであり、水晶振動子の缶ケースを３点で支持す
ることになり、縦方向の振動と横方向の振動を抑えることができるので、振動による水晶振動子のリード線の断線を防止することができる。また、表示手段を固定する固定手段を流用するので、接着剤のコストや実装時間を短縮でき、低コストの電子部品ユニットを提供することができる。
【００１２】
さらに、基板から電池が抜けるのを抑えることができるので、半田付け工程中に振動で電池が基板からはずれ、半田槽に落下するのを防止できる。したがって、安全性の高い電子部品ユニットを提供できる。また、基板上に電池を有するので、基板検査工程中に、時刻表示を現在時刻に設定し、そのまま、計時することができる。
【００１３】
第２の発明は、上記第１の発明において、基板に実装するスイッチを備え、固定手段は、前記スイッチを押す稼動部を有する電子部品ユニットであり、高さの違うスイッチを使用しても、稼動部で高さを調整することができるので、色々な操作形状に簡単に対応することができる。また、稼動部と固定手段を一体で形成するので、コストの安い電子部品ユニットを提供できる。
【００１４】
第３の発明は、炊飯器本体内に着脱自在に収納される鍋と、前記鍋を加熱する加熱手段と、前記炊飯器本体の上面開口部を開閉自在に覆う蓋と、上記第１または２のいずれか１つの発明の電子部品ユニットとを備え、前記電子部品ユニットは、前記炊飯器本体または蓋に取り付けた炊飯器であり、電子部品ユニットにより表示操作部を構成することで、様々な操作形状に対応することができ、デザイン性の高い炊飯器を提供することができる。また、周囲温度が低い操作表示部に電池を備えることにより、電池の寿命を長くすることができる。
【００１５】
以下、本発明の実施の形態について、図面を参照しながら説明する。なお、この実施の形態によって本発明が限定されるものではない。
【００１６】
（実施の形態１）
図１は本発明の実施の形態１における電子部品ユニットの要部断面図、図２は同電子部品ユニットの上面図、図３は同電子部品ユニットの断面図、図４は同電子部品ユニットの下面図を示すものである。なお、図面を簡潔にするために、電子部品の一部は省略している。
【００１７】
図２に示すように、基板１は紙フェノール材に銅箔を接着したものである。表示手段２は、現在時間、メニュー選択時の表示などの炊飯や保温に必要な情報を表示するもので、本実施の形態では、液晶パネルを使用している。固定手段３は、表示手段２を固定して基板１に取り付けるもので、例えば、ＰＥＴやＡＢＳなどの樹脂材料を成形し、図３に示すように、上面に表示手段２を嵌合できる凹所３ａを設け、この凹所３ａに表示手段２を嵌合して固定している。
【００１８】
固定手段３を保持するために、基板１に複数の保持穴２４を設け、この保持穴２４に固定手段３を挿入することにより、固定手段３を基板１に固定するようにしている、このとき、固定手段３の基板１への挿入部分は引っかかる形状となっており、安定して保持できる構成となっている。
【００１９】
水晶振動子５は、缶ケース型の水晶振動子で基板１に実装し、図４に示すように、基板１の下面に実装したマイクロコンピュータ２３に接続して発振回路を構成している。また、マイクロコンピュータ２３は、上記発振回路の発振周波数を読み取り、計時する計時手段を備えており、表示手段２に正確な現在時間、またはメニュー選択時の表示など炊飯や保温に必要な情報を表示する。また、後述するように、同一基板上に電池４を有するので
、基板検査工程中に時刻表示を現在時刻に設定し、そのまま計時し、現在時刻の表示を更新することができる。
【００２０】
固定手段３は、図１に示すように、基板１に向かって２つの突起部２２を突出させ、これら２つの突起部２２と基板１で水晶発振子５を支持するよう構成している。
【００２１】
セラミック発振子２１は、マイクロコンピュータ２３に接続して発振回路を構成し、この発振回路の発振周波数を読み取ることによりマイクロコンピュータ２３を正確に作動させるものである。このセラミック発振子２１は、特に図示していないが、リード線は基板１の穴を通した後、曲げており、振動を受けてもはずれないようになっている。
【００２２】
電池４は、商用電源から電力を供給できなくなったときに、計時手段を動作させたりするために電力を供給するもので、本実施の形態では、リチウム一次電池を使用し、図２および図３に示すように、基板１に実装している。この電池４の上部には、固定手段３に設けた延設部３ｂを配置している。本実施の形態では、電池４の上面から延設部３ｂの下面の距離は約３ｍｍになるようにし、電池４の端子部の長さ（４ｍｍ）より短くしているので、電池４の端子が基板１から抜けることはない。したがって、半田付け工程中に振動で電池４が基板１からはずれ、半田槽に落下するのを防止することができる。
【００２３】
スイッチ２５は、基板１に実装してマイクロコンピュータ２３に接続し、使用者が操作することにより所定の入力を行うもので、このスイッチ２５を押す稼動部６を固定手段３と一体に形成している。ここで、稼働部６につながる樹脂部分の厚みを薄くすることにより稼働部６の弾性をもたせている。
【００２４】
上記構成において作用を説明する。固定手段３に基板１に向かって２つの突起部２２を突出させ、これら２つの突起部２２と基板１で水晶発振子５を支持するよう構成したので、水晶振動子５の缶ケースを３点で支持することになり、縦方向の振動と横方向の振動を抑えることができるので、振動による水晶振動子５のリード線の断線を防止することができる。
【００２５】
また、固定手段３は、電池４の上部に延設部３ｂを配置したので、基板１から電池４が抜けるのを抑えることができ、半田付け工程中に振動で電池４が基板１からはずれ、半田槽に落下するのを防止できる。
【００２６】
また、固定手段３は、スイッチ２５を押す稼動部６を有するので、高さの違うスイッチを使用しても、稼動部６で高さを調整することができ色々な操作形状に簡単に対応することができる。
【００２７】
以上のように、本実施の形態においては、固定手段３は、基板１に向かって２つの突起部２２を突出させ、これら２つの突起部２２と基板１で水晶発振子５を支持するよう構成したので、水晶振動子５の缶ケースを３点で支持することになり、縦方向の振動と横方向の振動を抑えることができるので、振動による水晶振動子５のリード線の断線を防止することができる。また、表示手段２を固定する固定手段３を流用するので、接着剤のコストや実装時間を短縮でき、低コストの電子部品ユニットを提供することができる。
【００２８】
また、固定手段３は、電池４の上部に延設部３ｂを配置したので、基板１から電池４が抜けるのを抑えることができるので、半田付け工程中に振動で電池４が基板１からはずれ、半田槽に落下するのを防止できる。したがって、安全性の高い電子部品ユニットを提供できる。また、基板１上に電池４を有するので、基板検査工程中に、時刻表示を現在時刻に設定し、そのまま、計時することができる。
【００２９】
また、固定手段３は、スイッチ２５を押す稼動部６を有するので、高さの違うスイッチを使用しても、稼動部６で高さを調整することができるので、色々な操作形状に簡単に対応することができる。また、稼動部６と固定手段３を一体で形成するので、コストの安い電子部品ユニットを提供できる。
【００３０】
（実施の形態２）
図５は、本発明の実施の形態２における炊飯器の断面図を示すものである。なお、図面を簡潔にするために、電気的接続のためのリード線や部品を固定するねじは省略している。
【００３１】
図５に示すように、炊飯器本体７は、上面開口部を覆うように蓋８を開閉自在に設置している。炊飯器本体７の内部に鍋１２を着脱自在に収納できるように収納部９を設けており、この収納部９の底部に第１の加熱コイル（加熱手段）１０を配設し、第１の加熱コイル１０の外周側にフェライトコア１１を配設している。第１の加熱コイル１０は鍋１２の底部の中心の略真下に中心を有する巻き線である。
【００３２】
鍋１２は、上端開口部に外側にせり出したフランジ１３を有し、フランジ１３を収納部９の上端から浮き上がった状態で載置することにより、収納部９に着脱自在に収納される。したがって、鍋１２は収納時に、収納部９との間に隙間を有する。
【００３３】
蓋８に蓋加熱板１４を着脱自在に設けている。この蓋加熱板１４はステンレスなどの金属で形成している。第２の加熱コイル１５は蓋８に内蔵して蓋加熱板１４を誘導加熱するようにしている。回路基板１６は、第１の加熱コイル１０および第２の加熱コイル１５を制御するもので、ＩＧＢＴ、ダイオードブリッジ、コンデンサなどが実装されている。
【００３４】
電子部品ユニット１７は、上記実施の形態１により構成したもので、本実施の形態では、蓋８に配置して操作表示部としての機能を有し、回路基板１６と電気的に接続している。
【００３５】
巻き取り式の電源コード収納部１８は、回路基板１６にリード線を介して電気的に接続している。電源コード収納部１８はストッパーとばねを用いて電源コードを巻き取ることを可能にしている。温度検知手段１９は、サーミスタで構成し、鍋１２の底部の略中心に配置し、鍋１２の温度を検知するようにしている。冷却手段２０は、回路基板１６を冷却するもので、直流ブラシレスモータの回転子にファンを取り付けたファンモータで構成している。
【００３６】
上記構成において動作、作用を説明する。鍋１２内に米と水を鋳れ、動作を開始すると、マイクロコンピュータは所定のコースに基づいて、回路基板１６に実装した半導体素子を制御し、第１の加熱コイル１０により鍋１２を誘導加熱するとともに、第２の加熱コイル１５により蓋８に配置された蓋加熱板１４を誘導加熱して炊飯工程と保温工程を実施する。
【００３７】
ここで、上記実施の形態１に示した電子部品ユニット１７を使うことで、水晶振動子５の縦方向の振動と横方向の振動を抑えることができるので、振動による水晶振動子５のリード線の断線を防止することができる。例えば、本実施の形態の炊飯器では、蓋８に電子部品ユニット１７が搭載されているが、蓋８の開閉による振動で、水晶振動子５のリード線が断線するのを防止することができる。また、配送中に車の振動で水晶振動子５のリード線が断線するのを防止することができる。また、固定手段３を流用するので、接着剤のコストや実装時間を短縮でき、低コストの故障の少ない炊飯器を実現できる。
【００３８】
以上のように、本実施の形態においては、炊飯器本体７内に鍋１２を着脱自在に収納し、この鍋１２を第１の加熱コイル１０により加熱し、炊飯器本体７の上面開口部を蓋８により開閉自在に覆い、上記実施の形態１に記載の電子部品ユニット１７を蓋８に取り付けたので、電子部品ユニット１７により表示操作部を構成することで、様々な操作形状に対応することができ、デザイン性の高い炊飯器を提供できる。また、周囲温度が低い操作表示部に電池４を備えることにより、電池４の寿命を長くすることができる。
【００３９】
なお、本実施の形態では、電子部品ユニット１７は、蓋８に取り付けているが、炊飯器本体７内の有効スペースを利用して取り付けてもよく、同様の作用、効果を得ることができる。
【産業上の利用可能性】
【００４０】
以上のように、本発明にかかる電子部品ユニットは、水晶振動子のリード線の断線を防止できるので故障の少ない電子部品ユニットを提供でき、また、この電子部品ユニットを備えた炊飯器は、様々な操作形状に対応することができ、デザイン性の高い炊飯器を提供することができるので、缶ケース型の水晶振動子を有する電子部品ユニットおよびその電子部品ユニットを備えた炊飯器として有用である。
【図面の簡単な説明】
【００４１】
【図１】本発明の実施の形態１における電子部品ユニットの要部断面図
【図２】同電子部品ユニットの上面図
【図３】同電子部品ユニットの断面図
【図４】同電子部品ユニットの下面図
【図５】本発明の実施の形態２における炊飯器の断面図
【符号の説明】
【００４２】
１  基板
２  表示手段
３  固定手段
５  水晶振動子
２２  突起部
２３  マイクロコンピュータ（計時手段）
【図１】
0004792917.tif 000002
【図２】
0004792917.tif 000003
【図３】
0004792917.tif 000004
【図４】
0004792917.tif 000005
【図５】
0004792917.tif 000006